(57)【要約】【課題】ユーザにカスタム化された画像化する製品を生成するためのシステム及び方法を提供し、ユーザにカスタム化された画像化する製品を提供する。【解決手段】カスタム化された画像化する製品を提供するためのシステム及び方法。好ましい実施形態では、システムは、カスタム情報を提供するための入力手段と、カスタム化された画像化する製品を生産するために、その上又はその中に置かれた無線認証トランスポンダにカスタム情報をコード化するための無線装置と、カスタム化された画像化する製品をユーザに分配するための受渡領域とを有する。【選択図】　　　図３
2004030653.tif 000002
【特許請求の範囲】
【請求項１】
カスタム化された画像化する製品を生成するシステムにおいて、
カスタム情報を提供するための入力手段と、
画像化する製品をカスタム化して、前記カスタム情報に応じてカスタム化された画像化する製品を生成する手段と、
前記カスタム化された画像化する製品を分配するための受渡領域とを有するシステム。
【請求項２】
前記画像化する製品をカスタム化するための手段は、しるしを書込む装置又は無線通信装置を有する請求項１に記載のシステム。
【請求項３】
画像化するサービスを分配するためのシステムにおいて、
無線認証トランスポンダをその上又はその中に有するカスタム化された画像化する製品を受取るのに適応した受取領域と、前記無線認証トランスポンダはカスタム情報によってコード化されており、
前記無線認証トランスポンダからの前記カスタム情報を決定するための無線装置と、
画像化するサービスを生成するために、前記カスタム情報に応じて前記カスタム化された画像化する製品を処理するためのプロセッサとを有するシステム。
【発明の詳細な説明】
【０００１】
【発明の属する技術分野】
本発明は、一般に写真及びフィルムユニットに関する。特に、本発明は、カスタム化された写真製品及びサービスの自動販売に関する。
【０００２】
【従来の技術】
一般に自動販売機と言われる、販売キオスクは、製品を自動的に分配すことで良く知られている。販売キオスクは、自動的に動作可能で、現金又はクレジット／デビットカードによる支払いを受付けることができる。
【０００３】
写真製品を含む、種々の製品が、販売キオスクから分配される。写真製品を分配するための販売キオスクの一例は、「コダック・マックス自動販売機」であり、イーストマン・コダック社による写真製品、例えば写真フィルム、使いきりカメラ（ＯＴＵＣｓ）、支払い済みフィルム処理メイラー（ｐｒｅ−ｐａｉｄ　ｆｉｌｍ　ｐｒｏｃｅｓｓｉｎｇ　ｍａｉｌｅｒｓ）を分配する。
【０００４】
共通に譲渡され、特許文献としてここに明細書の一部とされる、下記特許文献１、下記特許文献２、下記特許文献３、下記特許文献４の全てには、フィルムを写真カメラに装填及び／又は写真カメラを販売する装置及び方法が記載されている。
【０００５】
下記特許文献５には、自動的で、インタラクティブな、処理されるべき製品のためのシステムが記載されている。
【０００６】
しかしながら、一般的に販売キオスクは製品を分配する。即ち、支払い済みフィルム処理メイラーを販売キオスクを用いて買うことができるが、一方販売キオスクは処理のための露光済みフィルムの受付け／受取りのために設計されてはいない。
【０００７】
フィルム投入箱が知られている。フィルム投入箱は、一般に大きな／食品／ドラックストア等の小売場所に置かれている。ユーザは、一般的に、フィルム処理封筒の写真仕上げサービス依頼用紙に、ユーザ情報（例えば、名前、住所、電話番号等）及び写真仕上げ情報（例えば、処理をするフィルムのタイプ、プリント、ピクチャーＣＤ、フォトネット・オンラインと言った依頼する出力のタイプ等）を記入する。次に、ユーザは、その封筒にフィルムを入れ、その封筒をフィルム投入箱に入れるか小売の店員に渡す。次に、封筒は、フィルムが処理されてオーダが完了するフィルム処理ラボに移動される。
【０００８】
【特許文献１】
米国特許第５，９２３，９０６号（ザンダー）明細書
【特許文献２】
米国特許第５，９６３，７５２号（ザンダー）明細書
【特許文献３】
米国特許第５，９９１，５４８号（ザンダー）明細書
【特許文献４】
米国特許第６，０３８，４０１号（ザンダー）明細書
【特許文献５】
米国特許第５，１１３，３５１号（ボスティック）明細書
【０００９】
【発明が解決しようとする課題】
一般的にユーザは、完了したオーダを回収するために、同じ小売場所（即ち、フィルム投入箱にフィルムを入れた場所）に戻らなければならない。仮に、フィルム投入箱、小売の店員、種々の装置、及びフィルム処理工場の保管ステーションとの間のポイントで、フィルムが偶発的にその封筒から離れてしまうと、ユーザの画像は失われてしまう場合がある。
【００１０】
アドバンスフォトシステム（ＡＰＳ）においては、各フィルムロールはユニークなＩＤ番号を持っており、ユーザはそれをフィルム処理封筒に書き写すことができるが、多くのユーザはこの能力に気づいていない。加えて、手書きは、時間を無駄に使い、不便であって、写し間違いを起こす傾向がある。
【００１１】
カスタムマシンが読取り可能な「バーコード」及び他の類似の印刷データをエンコードする方法は、フィルムをユーザ確認及びサービス要求のためのラベル付け及び確認するために使用することができる。しかしながら、これらのカスタム印刷確認システムは、紙詰まりを起こす傾向のある機械的なラベルプリンタを必要とし、通常的にラベルの在庫の補充を必要とし、限定されたデータ容量を有し、通常ラベルが正確に印刷されたことを確認するための閉ループチェックを含んでいない。加えて、フィルムロールの外表面上のラベル及び印刷された情報は、簡単に損傷し又は剥がれ、その結果元のユーザに戻るためのリンクが失われてしまう。
【００１２】
一般的に、キオスク（例えば、イーストマン・コダック社によって製造されるコダック・ピクチャ・マカー）のような画像化システムは、プリントをスキャンし、再プリント及び拡大物を作成する。キオスクはまた、仮にフィルムスキャナーを備えればフィルム画像から、仮にカメラ・カードリーダを備えればデジタルカメラ・カードからのプリント及び拡大物を作ることが可能である。キオスクはまた、装飾的な縁取り及び文字を加え、その価値を高めるような他の操作を画像に行うために使用することができる。キオスクのような、ネットワーク画像化システムが知られている。ネットワーク・キオスクは、離れた場所からデジタルファイルを送信及び受信することができる。
【００１３】
したがって、そのような装置が、それらの特定のアプリケーションにおいて、ある程度の成功を収めているけれど、前述したような問題を解決するためのシステム及び方法が要望され続けている。特に、個人的にカスタム化された画像化する製品及びサービスを分配するのに適した自動販売機に対する要望が引き続き存在する。
【００１４】
【課題を解決するための手段】
本発明の目的は、ユーザにカスタム化された画像化する製品を生成するためのシステム及び方法を提供し、ユーザにカスタム化された画像化する製品を提供することである。
【００１５】
これらの目的は、参照される実施例のやり方でのみ与えられるものである。即ち、開示される発明によって必然的に達成される他の所望の目的又は効果が、当業者によって発生又は現れる可能性がある。発明は、付属される請求項によって定義される。
【００１６】
本発明の一実施形態によれば、カスタム化された画像化する製品を生成するためのシステムが提供される。そのシステムは、カスタム情報を提供するための入力手段と、画像化する製品をカスタム化してカスタム情報に応じてカスタム化された画像化する製品を生成する手段と、カスタム化された画像化する製品を分配するための受渡領域とを有する。
【００１７】
本発明の他の実施形態によれば、カスタム情報を提供するための入力手段と、カスタム化された画像化する製品を生産するために、その上又はその中に置かれた無線認証トランスポンダにカスタム情報をコード化するための無線装置と、カスタム化された画像化する製品をユーザに分配するための受渡領域とを有するシステムが提供される。
【００１８】
本発明の更に他の実施形態によれば、カスタム化された画像化する製品を提供する方法が提供される。その方法は、画像化する製品を提供し、カスタム情報を提供し、カスタム情報を使用して画像化する製品を修正してカスタム化された画像化する製品を生成し、カスタム化された画像化する製品を受渡すステップを有する。
【００１９】
本発明は、ユーザにカスタム化された画像化する製品を生成するためのシステム及び方法を提供し、ユーザにカスタム化された画像化する製品を提供する。
【００２０】
【発明の実施の形態】
添付された図面に記載されるように、前述した点、本発明の他の目的、態様及び効果が、以下の本発明の好ましい実施形態の詳細な記載から明らかになるだろう。
【００２１】
以下、同じ構成には同じ参照番号を付したいくつかの図面を参照して、本発明に係る好ましい実施形態について説明を行う。
【００２２】
本発明は、パーソナル化又はカスタム化された画像化する製品又はサービスを提供するシステム及び方法を提供する。特に、本発明は、カメラや写真フィルムロールと言った画像化する製品上に置かれた無線認証トランスポンダを働かし、そのトランスポンダはカスタム化された情報によってプログラムされている。それは、特定のユーザ／顧客のためにカスタム化、パーソナル化又は特有化された情報である。
【００２３】
無線トランスポンダは良く知られており、種々の形態で広く利用できる。それらのＲＦトランスポンダは、トランスポンダに一体的に含まれるＥＥＰＲＯＭ（電気的消去可能なプログラマブル読取専用メモリ）半導体要素と言った安定なメモリを有している。その安定なメモリに記憶されているのは、エンコード・データである。インレイ（ｉｎｌａｙ）トランスポンダは、ほぼフラットな外観を有する認証トランスポンダである。インレイトランスポンダのためのアンテナは、非導電性支持体上に置かれた導電性の軌跡の形をしている。そのアンテナは、フラット・コイルのような形を有している。アンテナの導線もまた、挿入された必要な非導電性層を伴って、置かれている。メモリ及び制御機能は、支持体上にマウントされ、アンテナと導線と通じて動作的に接続されたチップによって供給される。インレイトランスポンダは、距離を隔ててアクセス可能なコードを供給する認証タグ及びラベルとして使用することができる。
【００２４】
共通に譲渡され、特許文献としてここに明細書の一部とされる、米国特許６，３８１，４１６Ｂ２（マニコ）には、無線認証トランスポンダを有するカメラが記載されている。
【００２５】
図１を参照すると、カメラ１０は、ケース１６の中に置かれた画像取込アセンブリ１４を有している本体１２を有している。使用中、フィルムユニット又は画像取込ユニット１８は、画像取込アセンブリ１４と動作的に関連して、本体１２の中に置かれている。
【００２６】
便宜上カメラ１０は、ここで写真フィルムを有するフィルムユニット１８という用語で一般的に議論されるが、「画像取込ユニット１８」又は「フィルムユニット１８」という用語は、広く定義されたものであって、電気的、磁気的又は光学メモリ等を用いてデジタル形式の情報を記憶するフィルムユニット１８を有するカメラをも包含するものと理解されたい。
【００２７】
カメラ１０は、無線（ＲＦ）認証トランスポンダ２０を有している。図１に示すように、本体１２は、無線認証トランスポンダを保持している。しかしながら、無線認証トランスポンダ２０は、カメラ１０の様々な位置に配置されることができる。例えば、トランスポンダ２０は、フィルムユニット１８の外側又は内側に保持されうる。さらに、カメラ１０は、１以上のトランスポンダ２０を有することができる。例えば、第１トランスポンダは本体１２によって保持され、第２トランスポンダはフィルムユニット１０によって保持される、また代わりに、本体１２が２つのトランスポンダを保持することもできる。第１及び第２のトランスポンダは、同じ又は異なったコードを記憶することができ、独立的に又は共通に無線によってアクセスすることができる。
【００２８】
「無線認証トランスポンダ」という用語は、ここでは、全ての無線フィールド（図２に線パターン２２として示す）で動くあらゆるクラスの無線送受信機を言及している。一般的に、トランスポンダ２０は、適当な通信信号によってフィールド２２を変調することによってアクセスされる。トランスポンダ２０は、通信信号に応答して反応（図２に矢印２４として示す）する。通信信号２２が生成され、コードは通信ユニット又は無線機２６によって検出される。トランスポンダ２０からのアクセス又はトランスポンダ２０への情報の提供のために、読取／書込装置との物理的な接触は必要ないことに注意されたい。物理的な接触が必要な他のシステムは、電気的な接触ポイントのようなものを付属する必要があるし、それらのポイントの物理的な固定が必要である。さらに、物理的な接触の必要性から、メモリデバイスを組み入れた製品の形／デザインには、読取／書込装置とアクセス可能とするための接触部分が必要となる。
【００２９】
キオスク、販売システム、自動化機械のような分配ユニットは、ユーザに特有化された情報によってトランスポンダ２０をプラグラミングすることによってカメラ１０をカスタム化し、カスタム化されたカメラをユーザに分配する。そのように、本発明は、カスタム化された画像化する製品を提供するシステムに関連する。そのよう分配ユニットは、自主的に動作する傾向にあり、小売又は小売場所に置かれる独立ユニット又は（壁にマウントされるような）建築物の要素として置かれるユニットであることができる。ユーザは、屋内又は屋外の環境で、及び歩いて又はドライブスルーで、分配ユニットとやり取りすることができる。
【００３０】
典型的な分配ユニットの概略が、写真感光フィルム、画像取込装置、デジタルカメラ、使い切りカメラ、コンパクト・ディスク、メモリー・カード、フロッピー・ディスク（登録商標）、リムーバブル・ハードディスク等の画像化する製品を分配するためのキオスク３０として図３に示されている。議論を簡単にするために、１以上の画像化する製品をキオスク３０から分配することができるけれど、カメラ１０が、カスタム化されるためにユーザによって選択された画像化する製品として使用され、キオスク３０から分配されるものとする。
【００３１】
示されるように、キオスク３０は、キオスク３０から分配される画像化する製品のユーザ／操作者／購入者／顧客のためのインタフェイスを提供するディスプレイ側３４を有する本体３２を有する。インタフェイスは、ユーザからの情報を獲得し及びユーザへ情報を又は指示を提供するための入力装置／手段を有する。図３に示すように、ディスプレイ側３４の入力手段は、モニタ又は表示３５、画像化する製品の形態を説明する選択領域３６、支払領域３８、受渡領域４０及び入力装置４１を有している。
【００３２】
表示３５は、指示や広告などのユーザとのコミュニケーションするための情報を表示するための領域である。図３に示されるように、表示３５はキオスクの広告を表示している。
【００３３】
選択領域３６は、ユーザが選択することができる製品及び／又はサービスを表示している。アイコン、文字、シンボル、画像又はその他の図表指示が、製品／サービスを表すために使用することができる。例えば、図３に示されるように、カメラのアイコン４２が、選択することができるカメラの形態の文字情報４４（即ち、使いきりカメラ、フラッシュ、フラッシュなし）と共に表示されている。３５ｍｍロールフィルムのアイコン４６が、選択することができるフィルムの形態の文字情報４８（即ち、３５ｍｍ、ＡＳＡ番号）と共に表示されている。ＡＰＳロールフィルムのアイコン５０が、選択することができるフィルムの形態の文字情報５２（即ち、ＡＰＳ，ＡＳＡ番号）と共に表示されている。同様にアイコン５４はピクチャーＣＤを表し、アイコン５６はピクチャー・ディスクを表し、アイコン５８はプリント／引伸ばしサービスを表し、アイコン６０はインターネットを通じてアクセスすることができるサーバ上のデジタル的に画像を記憶することができるサービスであるフォトネット・オンラインを表している。他の画像化する製品及び／又はサービスは、同様に、写真感光フィルムのフォーマット、フィルム速度、照明手段、露光数、カラー、白黒、カラーネガ又はリバーサルを含むフィルムの種類、メモリサイズ、メモリタイプ、デジタルリソリューション（ｄｉｇｉｔａｌ　ｒｅｓｏｌｕｔｉｏｎ）、ズーム、耐水性、出力フォーマット、処理方法、画像プリントサイズ、画像プリントタイプ、オンライン記憶又はディスク記憶を含む画像記憶装置タイプ、プリント修正、注釈、縁取り、グラフィック、デザインされた容器、所有者／ユーザ、受渡場所及び住所、処理時間、他の画像との繋がり、ソフト又はハードの表示アルバムの生成、ウエブサイト、デビットカード、クレジットカード及び現金含む支払手段、後払い、及びアカウントへのクレジットを含む選択領域３６に表されることができる。
【００３４】
ユーザは、ＲＦ可能タグによって選択領域３６と通信することができる。例えば、ユーザは、名前、住所、４×６プリントの好み、及び／又はインデックス・プリントと言ったユーザ情報及び好みがコード化されているＲＦタグを有する「ロイアリィティ・カード」を働かせることができる。したがって、選択領域３６がＲＦリーダを含む場合、コード化された情報はキオスク３０に読取られ／転送される。他の例では、そのようなロイアリィティ・カードは、磁気的にコード化された情報又は電気的に記憶された情報を有する。
【００３５】
支払領域３８は、ユーザからの支払を受けるための１以上の支払機構を有する。図３に示された１つの支払機構は、デビット／クレジットカードを受けるためのスロット６４又はデビット／クレジットカード番号を入力するためのキーパット６６を有するカード読取機６２である。受領領域６８は、ユーザに受領書を提供することができる。図３に示される他の支払機構は、現金の支払又は他の受取り可能な支払形式で受取るように構成された他の支払機構７０である。さらに、支払機構は、示してはいないが、バーコード又はＲＦ可能キーチェーン・フォブ（ＲＦ−ｅｎａｂｌｅｄ　ｋｅｙｃｈａｉｎ　Ｆｏｂ）（また、キータグとも言及される；モバイル・スピードパス（ＭＯＢＩＬ　ＳＰＥＥＤＰＡＳＳ）は、ＲＦ可能キーチェーン・フォブの例である）を有することができる。
【００３６】
受渡領域４０は、ユーザにカスタム化された画像化する製品を受け渡すための手段を提供する。図３に示すように、受渡領域４０は、当業者には他の構成が知られているかもしれないが、カスタム化された画像化する製品にアクセスするためのディスプレイ側３４の開口部として構成されている。
【００３７】
入力装置４１は、図３に示すような、キーボード、又は当業者に知られる他の入力手段を有している。例えば、表示３５は、タッチスクリーンとして構成されていれば、入力装置として働くこともできる。他の適当な入力装置は、カード読取機、無線読取機、網膜走査、顔認識及び電話通信装置を有することができる。入力装置４１は、ユーザから、ユーザ名、住所、電話番号といった情報を得るために働く。入力装置４１は、選択領域３６と通信するために使用することができる。
【００３８】
図４は、キオスクの内部例を示すキオスク３０の断面図を示している。複数のカメラ１０が、キオスク３０の画像化する製品（即ち、カメラ）の供給を支持する製品領域７２に置かれている。図４に示される配置によれば、カメラ１０は、キオスク３０が活性化すると、即ちユーザが支払いを行い且つ画像化する製品の選択を行うと、一度に一つ、製品領域７２からカスタム化領域７４に移動する。当業者に知られる他の配置では、１以上のカメラ１０が同時に移動することができる。当業者はまた、種々の手段／方法が、カメラ１０を製品領域７２からカスタム化領域７４に移動させるために使用することができることを認識できるであろう。図４に示される１つの方法は、１つのカメラ１０を製品領域７２からカスタム化領域７４に移動させるための予め定められた量だけ増加させるコンベヤ７６として示されている移動可能な輸送機構を働かす。図４に示されるように、コンベヤ７６の移動は、１つのカメラ１０をコンベヤから放して、ホッパ７８として示す開口部を通して落下させ、カスタム化領域７４に入れることとなる。
【００３９】
カスタム化領域７４へ移動するように選択された特定のカメラ１０は、選択領域３６でユーザによってなされた選択に依存することができる。例えば、ユーザがフラッシュ付きカメラを選択した場合、フラッシュユニット付きカメラがカスタム化領域７４へ移動される。同様に、ユーザが３５ｍｍの２００速度フィルムを有するフラッシュなしカメラを選択した場合、３５ｍｍの２００速度フィルムを有するフラッシュなしカメラがカスタム化領域７４へ移動される。
【００４０】
図５〜８を参照すると、カスタム化領域７４は、カスタム化された画像化する製品を生成するために、画像化する製品（即ち、カメラ１０）をカスタム化する手段を提供する。カメラ１０をカスタム化する手段は、トランスポンダ２０にコードをコード化するための無線通信装置８０を有する。無線通信装置８０は、無線機２６を有し、キオスク３０の他の要素と共同して働くのに適しており、以下に詳細に記載される。
【００４１】
図５は、カメラ１０がホッパ７４を通ってカスタム化領域７４に入るところを示している。カスタム化領域７４は、ＩＲ検出器又は圧力センサ等のカメラ１０の存在／不存在を検出する手段（図示しない）を含んでいる。
【００４２】
図６を参照すると、カスタム化領域７４において、通信装置８０がカメラ１０をカスタム化するために活性化され、ユーザに特有化したコードがトランスポンダ２０でコード化されて、カスタム化された画像化する製品、カメラ１０´を生成する。コードは、ユーザ、画像化する製品、画像化する製品の販売、又は画像化する製品に関するサービスに関する情報を含むことができる。例えば、ユーザの情報は、名前／住所／電話番号又はユーザ以外の指定された受取人を含むことができる。画像化する製品の情報は、カメラのシリアル番号、製造日、シャッタスピード、ズーム及びフラッシュと言ったカメラの機能／態様、及び露光数、白／黒、カラー、プッシュ・プロセス（ｐｕｓｈ　ｐｒｏｃｅｓｓ）、縁取り、及び／又は注釈を含むカメラの構成を含むことができる。販売情報は、販売日、販売場所、受領書がユーザに提供されたか及び／又は支払い方法と言った受領情報を含むことができる。サービス情報は、カメラのために購入されるサービス、ピクチャーＣＤ、ピクチャー・ディスク、プリント及び引伸ばし、デジタル効果、強調及び／又は修正（鮮明化（ｓｈａｒｐｅｎｉｎｇ）、色変換、カスタム文章及び図形、人工的な除去等）、及び又はフォトネット・オンラインを含めることができる。
【００４３】
一旦、カメラ１０が、カスタム化されたカメラ１０´を生成するためにコード化されると、トランスポンダ２０でコード化されたコードは、トランスポンダ２０が通信装置８０によって送られる照合信号に反応するか否かを決定することによって照合されることができる。トランスポンダ２０は、トランスポンダ２０で情報が適切にコードかされたか否かを決定するために、通信装置８０によって生成されコード化された通信信号に応答して、反応する（図７で矢印２４として示す）。
【００４４】
一旦、コード化され及び照合されると、カスタム化されたカメラ１０´は、ユーザに与えられる。好ましい実施形態では、カスタム化領域７４は、図５〜８に示されるように、受渡領域４０の隣に置かれる。このように、カメラ１０／１０´へのアクセスは、トランスポンダ２０のコード及び照合が行われるまで妨げられる。それまでのアクセスは、当業者に知られる手段／方法、例えばドアやカバー８２によって妨げられる。図５に示すようにカバー８２は受渡領域４０の前に置かれているが、カスタム化されたカメラ１０´へのアクセスを許容するために、図８ではカバー８２は受渡領域４０から移動されている。このように、ユーザは、ユーザに特有化するようにカスタム化された画像化する製品の提供を受ける。
【００４５】
任意のドア／カバー８１は、欠陥製品を保持領域８４へ届けることができる。保持領域８４に届けられるべき欠陥製品の例には、動作しない又は正常に動作しないトランスポンダ２０を有するカメラ１０が含まれる。ドア／カバー８１はまた、ユーザがカメラ１０´を受渡領域４０から予め定められた期間内に取り除かない場合に働くことができる。
【００４６】
したがって、本発明は、カスタム化された画像化する製品を提供するためのシステムを提供する。システムは、画像化する製品；カスタム情報を提供するための入力手段；カスタム化された画像化する製品を生成するために画像化する製品をカスタム化する手段；及びカスタム化された画像化する製品を分配するための受渡セクションを含む。
【００４７】
図９は、上述したカスタム化された画像化する製品を提供するための本発明に係る方法の流れ図を示している。ステップ１５０において、画像化する製品が提供される。また、カスタム情報が提供される（ステップ１５２）。カスタム情報は画像化する製品を修正するために使用され、カスタム化された画像化する製品が生成されて（ステップ１５４）、ユーザに届けられる（ステップ１５６）。
【００４８】
ステップ１５２で収集されるカスタム情報は、遠隔地へ転送されることが望ましい。例えば、クレジット読取機６２を使用した支払情報は、支払が照合／獲得することができるように転送されうる。同様に、カスタム情報は、何時キオスク３０がサービスを必要とするか又は何時キオスク３０が画像化する製品の補充を必要とするかを決定するために使用されることができる。さらに、カスタム情報は、何時画像化する製品の予め定められた量／質がキオスク３０で受取られたか及び何時収集が必要であるかを決定するために使用されることができる。
【００４９】
図１０に示すように、キオスク３０は、通信ネットワーク９０を経由して遠隔地とネットワーク化することができる。遠隔地は、インターネット・サービス・プロバイダ又はオンライン写真仕上げを行う者などのサービス・プロバイダ９２、又は、大規模ラボ、製造者又は小売業者などの製品／サービス提供者９４でありうる。その代わりに、図１１に示すように、キオスク３０は、サービス・プロバイダ９２又は製品／サービス提供者９４へ無線通信９８を行うための無線通信システム９６を伴うように構成されることができる。遠隔地で収集されたカスタム情報は、小売業者がユーザ・プロファイルを作成できるように、販売及びマーケット情報と共に、製品及びサービス提供者に提供される。
【００５０】
キオスク３０はカスタム化された画像化する製品を分配するために構成されるものとして記載されているが、キオスク３０はカスタム化された画像化する製品を受取るために構成されることもできる。即ち、ユーザがカメラ１０´の写真フィルムを露光し、カメラ１０´の露光済みフィルムを現像したいと思った時、キオスク３０はカメラ１０´を受取り、所望の画像化する製品の出力及び又はサービスをユーザに提供することができる。
【００５１】
キオスク３０が画像化する製品を受取ることができ、その画像化する製品が本発明に従って以前にカスタム化されていない場合、キオスク３０はユーザ入力を得て、次にトランスポンダ２０においてキオスク３０がそれを受取ったときにカメラ１０をカスタム化するためにコードをプログラムすることができる。このようにして、カメラ１０は、カメラ１０´をキオスク３０から受取った写真仕上げを行う者が適切なカスタム化を実行するためにコードを使用するように、カスタム化されたカメラ１０´を生成するためにカスタム化されることができる。
【００５２】
図１２は、カメラ１０´、即ちカスタム化された画像化する製品を受取るための受取領域１００を有しているキオスク３０を示している。図１２は受取領域１００を受渡領域４０と離れた区別されたものとして示しているが、当業者であれば、受取領域１００と受渡領域４０が同じ場所であるように構成できることが理解されるであろう。議論を簡単にするために、受取領域１００は受渡領域４０と離れた区別されたものとして示される。
【００５３】
図１３〜１６を参照すると、カスタム化されたカメラ１０´がキオスク３０に受取られることが示されている。受取領域１００は、開口部１０２へのアクセスを妨げるためのドア又はカバー１０４を有する開口部１０２を有している。最初、カバー１０４は、図１３に示すように、キオスク３０がカメラ１０´、又は許可されていない物を受取るのを防止するために開口部１０２をカバーしている。ユーザがカスタム化されたカメラ１０´を預けることを指摘することによってキオスク３０が活性化すると、図１４に示すように、カバー１０４が開口部１０２から移動して、受取領域１００が現れる。（キオスク３０の活性化は、支払領域３８とのやり取りによって発生すことができる点に注意されたい。）ユーザはカスタム化されたカメラ１０´を受取領域１００に置き（図１５）、カスタム化されたカメラ１０´の受領を表示するためにカバー１０４は開口部１０３を覆うように動く（図１６）。
【００５４】
ドア１０４が開口部１０２を覆うと、無線通信装置８０は、図１７に示されるように、カスタム化されたカメラ１０´上に／中に置かれたトランスポンダ２０にアクセスするために適切な通信信号を伴う無線フィールド１０８を転送する。図１８を参照すると、トランスポンダ２０の初期にプログラムされたコードは、通信装置８０に戻るように転送される。コードが無い又は不正確なコードが通信装置８０に転送された場合、カバー１０４が空き、受取領域１００に置かれた物はキオスク３０で許容／受取ることができない旨のメッセージがユーザに表示されることができる。（他のメッセージをユーザを表示することもできる。例えば、代わりに、現在コードを行うことができない旨のメッセージがユーザに表示される。）通信装置８０に転送されたコードが許容できる場合、カスタム化されたカメラ１０´がキオスク３０で許容され、収集されるまで保持領域に置かれる。例えば、図１９に示されるように、ドア又は開口部１１０は、キオスク３０がカスタム化された画像化する製品を保持するために、保持領域１１４への開口部１１２を現すように移動されることができる。一旦、カスタム化されたカメラ１０´が保持領域１１４へ移動すると、カバー１１０は、図２０に示すように、開口部１１２を覆う場所まで戻る。
【００５５】
保持領域１１４は、複数の保持セクション、ビン等、例えば、欠陥製品のためのセクション、処理が必要でユーザによって提出された画像化する製品のためのセクション、ＡＰＳ，３５ｍｍ又はデジタルフィルム製品のためのセクション、及び／又は特別な保持が必要な画像化する製品のためのセクションを有することができる。
【００５６】
保持領域１１４は、処理のためのカスタム化されたカメラ１０´の事前ソートのための複数の領域を有することができる。例えば、複数の事前ソート領域の１つは、プリントの画像化するサービスが必要なカスタム化されたカメラ１０´のために指定されることができ、複数の事前ソート領域の他は、ピクチャーＣＤの画像化するサービスが必要なカスタム化されたカメラ１０´のために指定されることができる。
【００５７】
トランスポンダ２０から通信装置８０へ転送されるコードは、前述した通信ネットワーク手段９０又は無線通信システム９６によってサービス・プロバイダ９２又は製品／サービス提供者９４へ転送されることができる。特定の状況において、トランスポンダ２０からのコードがサービス・プロバイダ９２又は製品／サービス提供者９４で記憶されるカスタム情報に対応又は関係することを照合することが要望される場合がある。即ち、カスタム化されたカメラ１０´は、カスタム情報が照合された時のみ、保持領域へ移転される。このように、受取手段１００は、入力手段又は支払手段に応答している。
【００５８】
保持領域１１４は、キオスク３０内でカスタム化されたカメラ１０´を処理するためのプロセッサを有することができる。そのような処理手段は、例えば米国特許第５，１１３，３５１号（ボスチック）に記載されるように、当業者に知られている。その代わりに、保持領域１１４は、カスタム化されたカメラ１０´のカスタム情報に応じて処理するために写真仕上げラボに移動するために、カスタム化されたカメラ１０´を収集するためのポーチ又は他のコンテナを有することができる。さらに、保持領域１１４は、特有な又は独特なフィルムタイプを処理するために構成されることができる。例えば、保持領域１１４は、サーマル・プロセッサ又はスキャナを含むように構成されることができる。さらに、保持領域１１４は、カメラ１０´を指定された処理領域へ移動するために、空気チューブ／シリンダ又は囲われたコンベヤ（ｅｎｃｌｏｓｅｄ　ｃｏｎｖｅｙｏｒｓ）と言った複数の移動手段を有することができる。
【００５９】
キオスク３０は、さらにユーザがピックアップするカスタム化されたカメラ１０´と関連した画像化するサービスを保持するためのサービス領域（図示していない）を有することができる。即ち、カスタム化されたカメラ１０´のカスタム情報が画像化するサービス、例えばプリント、引伸ばし、又はピクチャーＣＤを含む場合、ユーザは選択した画像化するサービスを収集して支払を行うためにキオスク３０へ戻ることができる。サービス領域は、ユーザが画像化するサービスを収集することができる開口部を有するキオスク３０のスロットとして構成されることができる。さらに、サービス領域は、受渡領域４０となりうる、即ち、ユーザが購入したサービスは、受渡領域４０の手段によってユーザに受渡すことができる。ユーザによる画像化するサービスへのアクセスは、例えば、入力手段を使用したキオスク３０へのアクセスコードを入力することによって得ることができる。サービスを得る他の例は、キオスク３０によって読まれ、ユーザがピックアップするサービスに対応したＲＦタグを有する「ロイアリィティ・カード」又はクレジットカードの使用である。
【００６０】
キオスク３０が、プリンタを有する場合、プリント及び引伸ばしは、ユーザがキオスクとやり取りをした時に、キオスク３０でオンデマンドにプリントすることができる。プリントされる画像は、通信ネットワーク９０及び９８を使用してキオスク３０へ転送されることができる。そのように、ユーザは、カメラ１０´を元々購入した又は処理のためにユーザがカメラ１０´を投下した同じキオスクに戻る必要がない。
【００６１】
ユーザが購入したサービスは、内容物及び／又は意図した受取人の照合をするようにして、無線タグを有するポーチ／パッケージで受渡される。
【００６２】
したがって、本発明は、画像化する製品及びサービスを提供するためのシステムを提供する。システムは、カスタム情報を提供するための入力手段；カスタム化された画像化する製品を生産するためにカスタム情報と画像化する製品を関連付ける手段；カスタム化された画像化する製品を分配するための受渡セクション；カスタム化された画像化する製品を受取る受取領域；カスタム化された画像化する製品を確認するための手段；及び、画像化するサービスを提供するために、カスタム情報とカスタム化された画像化する製品を関連付ける手段と含む。
【００６３】
図２１に、上述したカスタム化された画像化する製品を提供するための本発明に係る方法の流れ図を示す。ステップ２００において、カスタム情報は、画像化する製品及びサービスに関連したしステムに提供される。システムを使用して、カスタム化された画像化する製品を生産するためにカスタム情報を使用して画像化する製品が修正される（ステップ２０２）。カスタム化された画像化する製品が、ユーザにシステムから分配される（ステップ２０４）。一旦ユーザによって使用されると、カスタム化された画像化する製品がシステムに受取られるようにして、ユーザはカスタム化された画像化する製品をシステムに戻す（ステップ２０６）。システムは、受取ったカスタム化された画像化する製品を確認し（ステップ２０８）、そこでカスタム化された画像化する製品に関連した画像化するサービスを提供するために、カスタム情報がカスタム化された画像化する製品に関連付けられる（ステップ２１０）。
【００６４】
図２３及び２４に、図９及び２１に開示された本発明に係る方法をより詳細に説明する流れ図を示す。図２５は、画像化する製品及びパーソナル化された画像化する製品を選択する方法をより詳細に説明する流れ図を示し、図２６は、画像化するサービスを得るための方法をより詳細に説明する流れ図を示している。
【００６５】
図２３及び２４のステップ３００において、ユーザはキオスクと、例えば支払を提供することによって、やり取りを開始する。販売可能な製品／サービスの供給が決定される（ステップ３０２）。指示がユーザに提供され（ステップ３０４）、そこでユーザは選択を入力しうる（ステップ３０６及び３０８）。製品／サービスの総金額がユーザに提供されうる（ステップ３１０）。通貨が使用された場合、追加のお金が必要となる場合がある（ステップ３１２）。選択がサービスである場合、画像化する製品はキオスクで受取られ（ステップ３１４）、カスタム情報が読まれる（ステップ３１６）。次に画像化する製品は、処理のためにキオスクに許容される（ステップ３１８）。キオスクがネットワーク化されている場合、カスタム情報は、写真仕上げラボなどの遠隔地に転送されることができる（ステップ３２０）。選択が製品の場合、適切な製品が供給領域からコード化領域に輸送され（ステップ３２２及び３２４）、トランスポンダはコード化されて、その製品がユーザに提供される（ステップ３２６）。
【００６６】
図２３及び２４に記載されたステップは、他の流れによって達成される可能性のあることに留意されたい。例えば、図２５及び２６の流れは、製品／サービスの選択の後に依頼された製品／サービスの支払を示す。
【００６７】
したがって、本発明は、ユーザ志向、ネットワーク化、フィルム及びカメラを分配する自動販売機及び写真サービスと共同するような自動フィルム処理能力を有する。写真サービスは、自動販売機を経由して提供され、又はそこから遠隔地での実行のためにネットワークを経由してオーダすることができる。フィルム及びカメラは個々にカスタム化され、小売業者の店員の必要なしに多くの写真製品及びサービスへのアクセスが提供され、ユーザが便利なあらゆる場所でアクセス可能となる。
【００６８】
他の実施形態では、カスタム化領域７４の画像化する製品をカスタム化するための手段は、周知のバーコード・ライターと言った、しるし書込み装置を有している。したがって、カメラをカスタム化するために、バーコード・ライターは、カスタム情報を有するカスタム化された接着ラベルを生産することとなる。カスタム化された接着ラベルの一部は予め記入されており、他の部分はキオスク３０が活性化した時に記入されるようにすることができる。カスタム化された接着ラベルは、カバー８２がカスタム化されたカメラ１０´を提供するために活性化する前に、（当業者に知られるアプリケーション装置を使用して）カスタム化領域７４においてカメラ１０に適応される。カスタム化されたカメラ１０´がキオスク３０の返却に際して、照合手段は、カスタム化された接着ラベルからカスタム情報を読むための受取領域１００の隣又は中に置かれたバーコード・リーダ又はバーコード・スキャナーを有することとなる。
【００６９】
さらに他の実施形態では、カスタム化領域７４の画像化する製品をカスタム化するための手段は通信装置８０、及びカメラ１０のような画像化する製品に確実に接着するのに適応した接着性の裏面を有するトランスポンダの形をしたカスタム化エージェント（ｃｕｓｔｏｍｉｚｉｎｇ　ａｇｅｎｔｓ）の供給を有する。（例えば、図１に示すように、接着部分はトランスポンダ２０の片面に適用されることができる。）したがって、カメラ１０をカスタム化するために、通信装置８０は、接着性の裏面を有するトランスポンダの供給の少なくとも１つにおいてコードをコード化することとなる。次に、コード化されたカスタム化エージェントは、カスタム化されたカメラ１０´を生成するために、カメラ１０に（ユーザによって）接着するためにユーザに提供される。又は、コード化されたカスタム化エージェントは、カスタム化されたカメラ１０´を生成するために、キオスク３０の中でカメラ１０に自動的に適応されることもできる。さらに、トランスポンダは製造者がカメラ１０に適応し、予め適応されているトランスポンダをキオスク３０を使用してコード化することもできる。したがって、キオスク又は写真仕上げ代理店へのカメラ１０´の返却に際して、トランスポンダはカメラ１０´から取除かれ、写真仕上げ封筒に付着されて、写真仕上げ／サービス指示が写真仕上げを行う者に提供される。
【００７０】
本発明は、キオスク３０から分配されるために製品をカスタム化することだけに限定されるものではない点に留意されたい。上述した類似の実施形態では、画像化する製品をカスタム化する手段は、通信装置８０及び、キオスク３０から分配する必要の無い現存の画像化する製品に確実に接着するのに適応した接着性の裏面を有するトランスポンダの形をしたカスタム化エージェントの供給を有する。したがって、画像化する製品をカスタム化するために、通信装置８０は、接着性の裏面を有するトランスポンダの供給の少なくとも１つにおいてコードをコード化する。次に、コード化されたカスタム化エージェントは、キオスク３０とのやり取り以前はユーザの所有物ではありえなかった現存する画像化する製品に付着するためにユーザに提供される。このように、キオスク３０は、カスタム化エージェント、即ち、現存する画像化する製品に適応されると提供されたカスタム情報に従ってカスタム画像化する製品を作るコード化されたトランスポンダを生産する。
【００７１】
好ましい実施形態では、全ての結果として生じたカメラ１０´が関連されるように、同じ又は関連したコード（例えば、コード・シーケンス、クレジットカード番号、販売時間／データ、販売場所、ＩＤ、シーケンスの連鎖及び固定されたｉｄ番号）を有する複数のカメラ１０が提供されることを欲している。即ち、あらゆる画像化するサービスは、関連性を維持することとなる、例えば、多くのカメラが、結婚式といった１つのイベントのために販売されるかもしれない。カメラは、シーケンス（例えば、１０の１、１０の２等）及び／又は全てのカメラに用いられる１つのＩＤ番号を有することによって関連付けられることとなる。その後は、全てのサービス（例えば、画像）はユーザへの受渡のために結合されることができる、例えば、１つのＣＤ又はフォト・アルバム、又はフロッピーディスクを提供することによって。このサービスの多重バージョン／コピーが、複数の顧客に適応可能である。
【００７２】
さらに他の実施形態では、非伝統的フィルム又は特別フィルムが、例えば熱又は粘性現像剤（ｖｉｓｃｏｕｓ　ｄｅｖｅｌｏｐｅｒｓ）による処理によって、画像形成することができる。共通に譲渡され、特許文献としてここに明細書の一部とされる米国特許第６，３６９，８７３号（レビー）には、感熱フィルムを処理するための熱処理キオスクが記載されている。ポラロイド・コーポレーションによって生産されるポラクローム・インスタント・スライド・フィルムは、粘性現像剤によって画像形成を行う。一体的なプロセッサ／スキャナ・システムの例が、共通に譲渡され、特許文献としてここに明細書の一部とされる米国特許第５，６２７，０１６号（マニコ）に記載されている。さらに、伝統的又は在来のフィルムは、コニカ株式会社によって製造されるコニカＱＤ−２１のような標準的でない、異なった処理、又はコダックＣ−４１プロセスのような従来のフィルム処理と比較した時に迅速な画像へのアクセスを提供する単純で、複雑でない方法によって処理されることができる。しかしながら、異なった処理及び特殊フィルムは、一般的に光学的で、アナログプリント技術と一致しない画像を形成してしまう。デジタル走査及び画像修理アルゴリズムは、標準的でない手段によって処理される特殊フィルム及び従来フィルムから、高い品質の画像を得る手段を提供する。特殊フィルム及び従来フィルムを異なった処理と使用することによって、従来手段と比較してより早くアクセスすることができ、おおよそ、少なくとも８０％まで処理時間を減少できる。また、デジタル走査及び画像処理によって、高品質の画像をえることができ、画像はデジタルであるので、それらはキオスク／自動販売機における自己サービス環境で、容易に記憶し、転送し、及び編集することができる。
【００７３】
したがって、キオスク３０は、伝統的フィルム及び／又は非伝統的（即ち、特殊）フィルムを有する画像化する製品を分配することができる。さらに、キオスク３０は、伝統的フィルム及び／又は非伝統的フィルムを有する画像化する製品画像化する製品を許容／受取ることができる。
【００７４】
キオスク３０は、画像化する製品が伝統的フィルム及び／又は非伝統的フィルムを有するか否かに拘わらず、キオスクによって受取られた画像化する製品を処理するシステムを有することができる。例えば、画像化する製品が伝統的フィルムの場合、キオスク３０は米国特許第５，１１３，３５１号（ボシック）に記載されているような自動販売システムを有することができる。画像化する製品が、米国特許代６，３６９，８７３号（レビー）に記載されるサーマル・フィルムのような非伝統的なフィルムの場合、キオスク３０は露光されたサーマル・フィルムを処理するためにサーマル・プロセッサ及びスキャナを有することができる。
【００７５】
そのようにして、サービスはキオスク３０で、「オン・サイト（ｏｎ−ｓｉｔｅ）」を提供することができる。即ち、ユーザは、製品／サービスの処理が行われている間待つことができ、又キオスクからオーダされた製品／サービスを取り戻すために返すことができる（短い時間の後又は後の時間のいずれか）。前述したように、ハードコピー・プリントに加えて、製品／サービスは、ＣＤの書込み、メモリー・カード、ＤＶＤ，デジタルプリント、引き伸ばし、インデックス・プリント及びフロッピー・ディスクを含むことができる。
【００７６】
したがって、キオスク３０の表示３５は、キオスク３０によって処理された１以上ユーザの画像を表示、又は遠隔地のキオスクから通信ネットワークを通じてキオスク３０にダウンロードすることができる。表示された画像は、簡素なディスプレイ（即ち、低解像度）、高解像度ディスプレイ、又は複数の画像の簡素なディスプレイ（例えば、インデックスプリント）でありうる。加えて、キオスク３０は、コダック・ピクチャ・マカーのような、当業者に知られるように、ディスプレイ３０上の画像表示（例えば、ズーム、クロップ（ｃｒｏｐ））を修正するように働くことができる。
【００７７】
さらに、キオスク３０が通信ネットワークを通じてネットワーク化された場合、ユーザは、第２キオスクでオーダをピックアップするために、オーダを第２キオスクに送信／転送／伝えるためにキオスク３０を管理することができる。代わりに、１以上の画像を、キオスク３０からイーメイル又は「インスタント・メッセージ」を経由して第２キオスクに送ることができる。加えて、第１キオスクは、サービスを、実行センタ又はホーム・コンピュータなどの他の位置に向けることができる。
【００７８】
キオスク３０は、個人の又は公の場所、例えば、スタジアム、空港ターミナル、バス・ステーション、トレイン・ステーション、学校及びオフィス・ビルに置かれることができる。空港ターミナルに置かれた場合、キオスク３０は、Ｘ線やガンマ線に敏感な写真フィルムに関わる旅行者によって使用されることができる。即ち、写真フィルム、特に高スピードフィルムは、不幸にして荷物を走査するために働くセキュリティー用の走査装置によるＸ線による影響を受ける可能性があることに関係する。セキュリティー・ゲートを通って運ばれることがなければ、フィルムはセキュリティー用のＸ線で露光されることはない。したがって、ユーザ／旅行者は、（使いきりカメラ又はフィルムなどの）写真製品を旅行者の行き先の空港のセキュリティーエリアの外に置かれているキオスク３０から購入することができる。写真を撮ってフィルムを露光した後、旅行者はカメラ／フィルムを空港ターミナルのセキュリティーエリアの外に置かれているキオスク３０に返えすことができる。代わりに、旅行者は、カメラ／フィルムを異なった位置にある他のキオスク、例えば、レンタカーを借りる場所又は博物館（即ち、あらゆる共存できるキオスク）に返すことができる。旅行者は、処理された画像を待つことや、画像をピックアップのために他の場所、例えば、旅行者の次の行き先又は旅行者の家に転送／送信するような指示を提供することができる。
【図面の簡単な説明】
【図１】フィルム位置に無線認証トランスポンダを有するカメラの実施形態を示し、無線認証トランスポンダが点線によって示されている図である。
【図２】図１に示すカメラにおけるトランスポンダの使用を示した図である。
【図３】本発明に係るキオスクの正面を示した図である。
【図４】本発明に係るキオスクの内部を示した断面図である。
【図５】キオスクのカスタム化領域でカスタム化されるカメラを示す図である。
【図６】キオスクのカスタム化領域でカスタム化されるカメラを示す図である。
【図７】キオスクのカスタム化領域でカスタム化されるカメラを示す図である。
【図８】キオスクのカスタム化領域でカスタム化されるカメラを示す図である。
【図９】カスタム化された画像化する製品を提供するための本発明に係る第１の方法の流れを示す図である。
【図１０】通信ネットワークによって遠隔地と通信を行うキオスクを示す図である。
【図１１】無線通信によって遠隔地と通信を行うキオスクを示す図である。
【図１２】カスタム化された画像化する製品を受取るための受取領域を有する図３のキオスクを示す図である。
【図１３】キオスクによって受取られたカメラのカスタム化を示す図である。
【図１４】キオスクによって受取られたカメラのカスタム化を示す図である。
【図１５】キオスクによって受取られたカメラのカスタム化を示す図である。
【図１６】キオスクによって受取られたカメラのカスタム化を示す図である。
【図１７】キオスクによって受取られたカメラのカスタム化を示す図である。
【図１８】キオスクによって受取られたカメラのカスタム化を示す図である。
【図１９】キオスクによって受取られたカメラのカスタム化を示す図である。
【図２０】キオスクによって受取られたカメラのカスタム化を示す図である。
【図２１】カスタム化された画像化する製品及びサービスを提供するための本発明に係る第２の方法の流れを示す図である。
【図２２】図２３と図２４との配列を示す図である。
【図２３】本発明に係る第１及び第２の方法を詳細に記載した流れ図である。
【図２４】本発明に係る第１及び第２の方法を詳細に記載した流れ図である。
【図２５】画像化する製品の選択し、パーソナル化する方法を詳細に記載した流れ図である。
【図２６】画像化するサービスを得るための方法を詳細に記載した流れ図である。
【符号の説明】
１０…カメラ
１０´…カスタム化されたカメラ
１２…本体
１４…画像取込アセンブリ
１６…ケーシング
１８…フィルムユニット
２０…無線認証トランスポンダ
２２…フィールド；通信信号
２６…通信ユニット；無線機
３０…分配ユニット；キオスク；自動販売機
３２…本体
３４…ディスプレイ側
３５…モニタ又はディスプレイ
３６…選択領域
３８…支払領域
４０…受渡領域
４２…アイコン；カメラ
４４…文字情報；カメラ
４６…アイコン；３５ｍｍフィルム
４８…文字情報；３５ｍｍフィルム
５０…アイコン；ＡＰＳ
５２…文字情報；ＡＰＳ
５４…アイコン；ピクチャーＣＤ
５６…アイコン；ピクチャー・ディスク
５８…アイコン；プリント／引伸ばし
６０…アイコン；フォトネット・オンライン
６２…支払機構；カード読取機
６４…スロット
６６…キーパット
６８…受領領域
７０…支払機構；現金
７２…製品領域
７４…カスタム化領域
７６…コンベア
７８…ホッパ
８０…無線通信装置
８１…ドア；カバー
８２…ドア／カバー
８４…保持領域
９０…通信ネットワーク
９２…サービス・プロバイダ
９４…製品／サービス・プロバイダ
９６…無線通信システム
９８…無線通信
１００…受信領域
１０２…開口部
１０４…ドア／カバー
１０８…無線周波数フィールド
１１０…ドア／カバー
１１２…開口部
１１４…保持領域
【図１】
2004030653.tif 000003
【図２】
2004030653.tif 000004
【図３】
2004030653.tif 000005
【図４】
2004030653.tif 000006
【図５】
2004030653.tif 000007
【図６】
2004030653.tif 000008
【図７】
2004030653.tif 000009
【図８】
2004030653.tif 000010
【図９】
2004030653.tif 000011
【図１０】
2004030653.tif 000012
【図１１】
2004030653.tif 000013
【図１２】
2004030653.tif 000014
【図１３】
2004030653.tif 000015
【図１４】
2004030653.tif 000016
【図１５】
2004030653.tif 000017
【図１６】
2004030653.tif 000018
【図１７】
2004030653.tif 000019
【図１８】
2004030653.tif 000020
【図１９】
2004030653.tif 000021
【図２０】
2004030653.tif 000022
【図２１】
2004030653.tif 000023
【図２２】
2004030653.tif 000024
【図２３】
2004030653.tif 000025
【図２４】
2004030653.tif 000026
【図２５】
2004030653.tif 000027
【図２６】
2004030653.tif 000028